(57)【要約】【課題】レジ袋を、衛生的に好ましくかつ見栄えの良い状態で、顧客と店員との両者が取り出しやすく設置可能にする。【解決手段】折り曲げられた袋を載置状態で支えるトレイ部と、袋が掛け回される部材であって、袋の折り曲げ部分を内側から支える支持部と、袋の開口側の一部を保持する保持部と、前記トレイ部および当該トレイ部上の袋を収納する容器であって、袋の底を露出させた第１の取出口と、袋の折り曲げ部分を露出させた第２の取出口と、を有する筐体と、を備える。【選択図】図２
2020039451.tif 000002
【特許請求の範囲】
【請求項１】
折り曲げられた袋を載置状態で支えるトレイ部と、
袋が掛け回される部材であって、袋の折り曲げ部分を内側から支える支持部と、
袋の開口側の一部を保持する保持部と、
前記トレイ部および当該トレイ部上の袋を収納する容器であって、袋の底を露出させた第１の取出口と、袋の折り曲げ部分を露出させた第２の取出口と、を有する筐体と、
を備える袋保持装置。
【請求項２】
前記トレイ部は、袋の折り曲げ部分が袋の底よりも高く位置するよう傾斜させて袋を支える
請求項１に記載の袋保持装置。
【請求項３】
袋の底よりも袋引き出し方向上流側に配置され、引き出される袋の上面に対向し、当該袋を幅方向の全幅にわたって押さえる押さえ部をさらに備える
請求項１または２に記載の袋保持装置。
【請求項４】
前記支持部よりも袋の引き出し方向下流側に配置され、引き出される袋の両側部の進路を中央に向けて寄せる集め部をさらに備える
請求項１〜３のいずれか１つに記載の袋保持装置。
【請求項５】
前記保持部は、前記支持部に近接離反する方向に移動可能に、前記押さえ部に取り付けられている
請求項３に記載の袋保持装置。
【発明の詳細な説明】
【技術分野】
【０００１】
本発明の実施形態は、袋保持装置に関する。
【背景技術】
【０００２】
従来、セルフチェックアウト装置や会計装置が用いられている。セルフチェックアウト装置はセルフＰＯＳなどとも呼ばれ、顧客が自身で商品の情報を読み込ませおよび会計を行うための装置である。会計装置は、会計のみ顧客自身で行うための装置である。これらの装置を用いる顧客が持ち帰る商品を詰めるための袋（レジ袋）は、案内担当の店員により顧客に手渡されたり、或いは、顧客自身で取ることができるよう装置周りに吊下げ状態で設置されたりする。
【０００３】
昨今は、レジ袋を顧客自身で取って貰う運用が増えてきている。しかしながら、上述のように、装置周りに吊下げて設置しているのであると、剥き出しであれば衛生的に好ましくない、見栄えが良くない、また、吊下げ位置は比較的低いことが多いので顧客は屈まなければならない、などの不都合がある。
【０００４】
吊下げ状態以外でのレジ袋の設置手法としては、特許文献１に記載のサッカ台のように、引き出し棚にレジ袋を収納するものがある。
【発明の概要】
【発明が解決しようとする課題】
【０００５】
本発明が解決しようとする課題は、レジ袋を、衛生的に好ましくかつ見栄えの良い状態で、顧客と店員との両者が取り出しやすく設置可能にすることである。
【課題を解決するための手段】
【０００６】
実施形態の袋保持装置は、折り曲げられた袋を載置状態で支えるトレイ部と、袋が掛け回される部材であって、袋の折り曲げ部分を内側から支える支持部と、袋の開口側の一部を保持する保持部と、前記トレイ部および当該トレイ部上の袋を収納する容器であって、袋の底を露出させた第１の取出口と、袋の折り曲げ部分を露出させた第２の取出口と、を有する筐体と、を備える。
【図面の簡単な説明】
【０００７】
【図１】図１は、実施形態の袋保持装置の外観の一例を概略的に示す斜視図である。
【図２】図２は、袋保持装置が筐体内に備える各部の外観および配置の一例を示す斜視図である。
【図３】図３は、袋保持装置の部分的な縦断側面図であって、筐体に収納された状態を示す図である。
【図４】図４は、トレイ部の支持部を支持する長孔が設けられた部分を示す斜視図である。
【図５】図５は、袋の顧客側からの引き抜き方向を矢印で示す縦断側面図である。
【発明を実施するための形態】
【０００８】
図１は、実施形態の袋保持装置１の外観の一例を概略的に示す斜視図である。袋保持装置１は、筐体２およびトレイ部３を備えている。
【０００９】
筐体２は、箱型の容器で、第１および第２の取出口２１，２２（２２は図３に示す）を有する。取出口２１，２２は、横長の開口部であって、４つの側面のうちの対向する２つの側面にそれぞれ設けられている。取出口２１，２２は、筐体２に収納されたトレイ部３の一部（部分３２，３３、後述）を、露出させる。なお、図１では概略的な外観の一例を示したに過ぎず、筐体２は直方体でなくて構わない。
【００１０】
図２は、袋保持装置１が筐体内に備える各部の外観および配置の一例を示す斜視図である。袋保持装置１はさらに、支持部４、保持部５、押さえ部６および集め部７を、備えている。
【００１１】
トレイ部３は、折り畳まれた（例えば二つ折りされた）状態の袋１００を、載置状態で支えるものであって、筐体２に収納される。
【００１２】
図２に示す袋１００は、例えば、本体部分１０１に一対の持ち手１０２が備わっている所謂レジ袋である。また、袋１００は、吊下げ部１０３を備えている。吊下げ部１０３は、開口１０４の中央部（一対の持ち手１０２の間）に、本体部分１０１から突出し且つ本体部分１０１に対して切り離し可能に設けられている。複数の袋１００の吊下げ部１０３が圧着等により一体化されることにより、袋１００は、重ねられた束として状態を維持しやすくされている。吊下げ部１０３は、中央部に貫通孔１０５を有する。
【００１３】
また、袋１００は、吊下げ部１０３と本体部分１０１との間に切り取り線（ミシン目）を備えている。これにより、本体部分１０１と吊下げ部１０３とは、所定の力を上回る力での引っ張りにより保持解除（切り取り線からの切り取り）可能である。
【００１４】
図３は、袋保持装置１の部分的な縦断側面図であって、トレイ部３が筐体２に収納された状態を示す図である。トレイ部３は、袋１００が二つ折り状態で載置される平らな第１の部分３１と、筐体２から露出し且つ袋１００の底１０６を支える第２の部分３２と、筐体２から露出し且つ袋１００の折り曲げ部分１０７の下側を保護する第３の部分３３とを備えている。第１の部分３１は、二つ折りされた袋１００よりも広い面積を有する。
【００１５】
また、トレイ部３の、上記第１〜第３の部分３１〜３３の両側の部分は、各部分３１〜３３よりも高さ方向に突出して、厚みを有している。それら両側の部分の側面３４に、トレイ部３は、案内部３５を備えている。案内部３５は、図４に示すような、側面３４よりも窪んだ溝状のものでもよいし、逆に、側面３４から突出した突起（或いはレール状のもの）であってもよい。
【００１６】
筐体２は、内側面に、案内部３５に対応する形状の案内部（不図示）を備えている。当該案内部は、案内部３５との形状の対応によって、筐体２に対してトレイ部３が抜き差しされるように設けられている。
【００１７】
トレイ部３は、取出口２２から差し込まれることにより、筐体２に収納される。この状態で、トレイ部３の差し込み方向下流側の部分３２が取出口２１から突出し、トレイ部３の差し込み方向上流側の部分３３は、取出口２２から入らず筐体２外に留まる。
【００１８】
なお、本実施形態のトレイ部３は、少なくとも筐体２に収納された状態で、折り曲げ部分１０７が底１０６よりも高く位置するよう傾斜させて、袋１００を支える。
【００１９】
袋１００は、開口１０４から底１０６へ向かう方向に交わる折り線で折り曲げられて、トレイ部３に載置される。支持部４は、袋１００の本体部分１０１が掛け回される部材であって、袋１００の折り曲げ部分１０７を、内側から支える。支持部４は、例えば、図示するような軸状の形状を有する部材である。しかしながら実施にあたっては支持部４の形状は異なっていてもよく、例えば、支持部４は、板状の部材や角棒状の部材であってもよい。
【００２０】
袋１００は、筐体２から露出した底１０６が顧客側に向けられる。この底１０６が矢印Ａで示す方向に引かれることによって、袋１００の吊下げ部１０３が切り離されて本体部分１０１が取出口２１から引き抜かれる。また、反対側の取出口２１から露出する折り曲げ部分１０７が、矢印Ｂで示す方向に引かれることによって、袋１００の吊下げ部１０３が切り離されて本体部分１０１が取出口２１から引き抜かれる。
【００２１】
トレイ部３は、支持部４の両端部を支持する一対の長孔３６を有している。図４は、トレイ部３の支持部４を支持する長孔３６が設けられた部分を示す斜視図である。一対の長孔３６は、支持部４の両端部を支持する。長孔３６の短手方向寸法は、支持部４の太さ寸法に対応する。また、長孔３６の長手方向は、当該長手方向に沿って移動する支持部４がトレイ部３の袋１００が載置される平らな部分３１に対して近接離反する方向である。
【００２２】
支持部４は、長孔３６に沿って移動可能である。特段の力を加えない状態では、支持部４は、自重により長孔３６の下側に位置し、例えば袋１００の補充・交換時など、トレイ部３の平らな第１の部分３１と支持部４との間隔を広げたいような場合には、オペレータとしての店員が支持部４を当該部材の自重に抗して持ち上げることによって、対応可能である。このような支持部４の操作性のために、トレイ部３は、支持部４を長孔３６の上側や下側である程度の力で着脱自在に保持するような、クリッピング構造を備えていてもよい。
【００２３】
図５は、袋１００の顧客側からの引き抜き方向を矢印Ｃで示す縦断側面図である。押さえ部６は、袋１００の底１０６よりも引き出し方向上流側に配置され、引き出される袋１００の上面に対向し、当該袋１００を幅方向の全幅にわたって押さえる。これにより、押さえ部６は、袋保持装置１による袋１００のリリースポイントを規制する。押さえ部６の袋１００引き出し方向下流側の先端部６１は、袋１００を傷つけずに適切な押さえ力を付与できるよう、丸め加工されている。
【００２４】
また、押さえ部６は、鉄製の板金などを材料に構成されている。これにより、押さえ部６は、保持部５のフック５１が取り付けられたマグネット５２（後述）を袋１００のサイズに応じて自在な位置に取り付け可能とするほか、袋１００を引き出す際の静電気の除去の役目も果たしている。
【００２５】
保持部５は、支持部４に近接離反する方向に移動可能に、押さえ部６に取り付けられている。保持部５は、フック５１およびマグネット５２を備えている。マグネット５２は、鉄板などが材料の一つである押さえ部６に着脱自在である。このマグネット５２により、フック５１が押さえ部６に対して移動可能である。フック５１は、マグネット５２に固定されている。フック５１は、袋１００の吊下げ部１０３を、貫通孔１０５を引っ掛けることで保持する。
【００２６】
集め部７は、支持部４よりも袋１００の引き出し方向下流側に配置され、引き出される袋１００の両側部の進路を中央に向けて寄せる。より詳しくは、集め部７は、袋１００の側部を位置決めする第１の部分７１と、この部分７１との間に所定の角度をなす第２の部分７２とを有する。第２の部分７２は、袋１００の折り曲げ部分１０７が矢印Ｂの示す方向に移動するにしたがって幅を狭めるように誘導する部分であって、支持部４に対して傾斜した面を有している。なお、袋１００の幅方向は、袋１００の底１０６に沿う方向であるとする。袋１００の側部は、底１０６に直交する部分であるとする。
【００２７】
このような構成の袋保持装置１は、例えば、取出口２１を顧客側に向け、取出口２２を店員側に向けて、設置される。袋保持装置１の設置の手法としては、当該袋保持装置１がセルフチェックアウト装置や会計装置に組み込まれているのであってもよいし、或いは、袋保持装置１をセルフチェックアウト装置や会計装置とは別体に構成して、購入した商品を袋詰めする場所から手の届く位置に設置してもよい。
【００２８】
顧客は、取出口２１から露出した袋１００の底１０６を摘んで、引っ張る。この引っ張り力が所定の力を上回ると、引っ張られた袋１００の本体部分１０１が吊下げ部１０３から切り離されて、取出口２１から抜き出される。
店員は、取出口２２から露出した袋１００の折り曲げ部分１０７を摘んで、引っ張る。この引っ張り力が所定の力を上回ると、引っ張られた袋１００の本体部分１０１が吊下げ部１０３から切り離されて、取出口２１から抜き出される。
【００２９】
このように袋保持装置１が構成されていることにより、例えば、セルフチェックアウト装置や会計装置によりチェックアウトないし会計を行っている顧客は、袋保持装置１から、使う分だけの袋１００を取り出すことができる。このような袋保持装置１により、袋１００は、顧客による使用の直前まで袋保持装置１に収納されているので、衛生的に好ましい状態、且つ、従来の吊下げでの設置に比べて見栄えがよい状態におかれる。
【００３０】
また、袋保持装置１は、二方向から取り出し可能であるので、顧客と店員との両者が取り出しやすく袋１００を設置できる。店員は、セルフチェックアウト装置や会計装置を使用する顧客のアテンド（案内）を行う際などに、当該顧客に、袋１００を手渡すことがある。その際に、顧客側に向いた取出口２１のみであると、顧客に退いてもらわなければ袋１００を取り出すことができないが、本実施形態のように、もう一つの取出口２２があれば、店員は、顧客と対面状態で袋１００を取り出すことができる。
【００３１】
また、袋保持装置１は、折り畳み状態で袋１００を保持するので、袋保持装置１を小型化し、袋保持装置１の設置に要する空間を小さく抑えることができる（省スペース化）。なお、本実施形態では、袋１００を二つ折りで収納するようにしたが、実施にあたっては、例えば蛇腹状に三つ折りで収納するようにしてもよい。この場合には、更なる省スペース化を図ることができる一方、折り曲げ部分１０７相当の箇所が２箇所になるので、支持部４相当の部品が２つになる。
【００３２】
また、トレイ部３が、折り曲げ部分１０７が底１０６よりも高く位置するよう袋１００を傾斜させて支えていることにより、袋１００の束の乱れを防止することができる。
【００３３】
また、押さえ部６で袋１００の底１０６を上面から幅方向の全幅にわたって押さえていることにより、袋１００がさらに取り出しやすくされている。これは、顧客による引っ張り（矢印Ｃで示す）の角度が一定になりにくいことに配慮したものである。引っ張り角度が違っても、袋１００の最終的なリリースポイントが押さえ部６の先端部６１になることで、角度の違いによる影響を抑えることができる。
【００３４】
また、集め部７が、矢印Ｂで示す方向に引き出される袋１００の両側部の進路を中央に向けて寄せるので、袋１００の側部が取出口２２の縁に引っ掛かったりする不都合が発生しにくくなるため、袋１００をさらに取り出しやすくすることができる。
【００３５】
また、保持部５が、支持部４に対して移動可能であるので、袋１００の深さが様々あっても、底１０６の位置を第２の部分３２の概ね同じ位置に位置させるように、吊下げ部１０３の位置を調節することができる。
【００３６】
また、保持部５が、押さえ部６に取り付けられていることで、保持部５を取り付けるための部材を別途設ける必要がなくなるので、部品点数を削減し、小型化、省スペース化することができる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１  …袋保持装置
２  …筐体、２１，２２…取出口
３  …トレイ部、
３１…第１の部分、３２…第２の部分、３３…第３の部分、
３４…側面、３５…案内部、３６…長孔
４  …支持部
５  …保持部、５１…フック、５２…マグネット
６  …押さえ部、６１…先端部
７  …集め部、７１…第１の部分、７２…第２の部分
１００…袋、１０１…本体部分、１０２…持ち手、１０３…吊下げ部、
１０４…開口、１０５…貫通孔、１０６…底、１０７…折り曲げ部分
【先行技術文献】
【特許文献】
【００３９】
【特許文献１】特開２０１０−３５７６７号公報
【図１】
2020039451.tif 000003
【図２】
2020039451.tif 000004
【図３】
2020039451.tif 000005
【図４】
2020039451.tif 000006
【図５】
2020039451.tif 000007